(57)【要約】【課題】洗面所やトイレ等にて使用される手乾燥装置において、手に付着した水滴を吸引することにより水滴の飛散を防止し、手挿入部の構造も簡素化することができる手乾燥装置を提供することを目的とする。【解決手段】本体内部に設けた吸引手段２と、前記吸引手段２に接続した風路３と、前記風路３に接続した吸引ノズル４を有し、吸引手段２を動作させ、吸引ノズル４より手の表面に付着した水滴を吸引することにより、水滴の飛散を抑制することができる手乾燥装置１が得られる。【選択図】図１
2007105155.tif 000002
【特許請求の範囲】
【請求項１】
本体内部に設けた吸引手段と、前記吸引手段に接続した風路と、前記風路に接続した吸引ノズルを有し、前記吸引ノズルより手の表面に付着した水滴を吸引することができる手乾燥装置。
【請求項２】
吸引ポンプを吸引手段とした請求項１記載の手乾燥装置。
【請求項３】
吸引ファンモータを吸引手段とした請求項１記載の手乾燥装置。
【請求項４】
吸引ノズルに弾性材料を使用し、前記吸引ノズルを手に密着させて、手の表面に付着した水滴を吸引することを特徴とした請求項１から３のいずれかに記載の手乾燥装置。
【請求項５】
吸引ノズルに近接したブラシ部分を有し、前記吸引ノズルより手の表面に付着した水滴を吸引することを特徴とした請求項１から４のいずれかに記載の手乾燥装置。
【請求項６】
吸引ノズルを洗浄する洗浄装置を設け、前記吸引ノズルを清潔に保つことができることを特徴とした請求項１から５のいずれかに記載の手乾燥装置。
【請求項７】
本体内部に設けた送風装置及び発熱体からなる温風発生手段と、前記温風発生手段に接続する風路Ａと、前記風路Ａに接続する送出ノズルを有し、前記送出ノズルより温風を送出することができる請求項１から６のいずれかに記載の手乾燥装置。
【請求項８】
本体内部に設けた送風装置及び発熱体からなる温風発生手段と、前記温風発生手段に接続する風路Ａと、前記風路Ａに接続する送出ノズルを有し、前記温風発生手段の吸い込み側に接続した水分離手段と、前記水分離手段に接続した風路Ｂと、前記風路Ｂに接続した吸引ノズルを有し、送出ノズルから温風を送出するとともに吸引ノズルより手に付着した水滴を吸引することを特徴とした請求項１から６のいずれかに記載の手乾燥装置。
【請求項９】
タイマーにより定期的に吸引手段を運転させ、吸引ノズルと風路内の水分や汚れをとることを特徴とした請求項１から８のいずれかに記載の手乾燥装置。
【請求項１０】
水分検知手段により吸引ノズルと風路内の水分を検知し、吸引手段を運転させることで前記吸引ノズルと風路内を乾燥させることを特徴とした請求項１から８のいずれかに記載の手乾燥装置。
【請求項１１】
吸引ノズルの前後に、手の前後移動を容易にするローラー部分を設けたことを特徴とする請求項１から１０のいずれかに記載の手乾燥装置。
【請求項１２】
吸引手段の運転状態を可変とし、手に強弱の吸引を与えることを特徴とした請求項１から１１のいずれかに記載の手乾燥装置。
【請求項１３】
吸引ノズル部分を振動させることを特徴した請求項１から１２のいずれかに記載の手乾燥装置。
【発明の詳細な説明】
【技術分野】
【０００１】
本発明は、洗面所やトイレ等にて手を洗い、濡れた手を乾燥させる手乾燥装置に関する。
【背景技術】
【０００２】
従来、この種の手乾燥装置では、高圧空気流により手の水滴を飛ばし、乾燥させるものが知られていた（例えば特許文献１参照）。
【０００３】
以下、その手乾燥装置について図１４を参照しながら説明する。
【０００４】
図に示すように、手乾燥装置１０１は本体内部に設けた高圧空気発生手段１０２と、前記高圧空気発生手段１０２に接続する排気ダクト１０３と、前記排気ダクト１０３に接続する吹出ノズル１０４と、前記吹出ノズル１０４下部に手挿入部１０５と、前記手挿入部１０５の下部に水受け部１０６を有し、前記高圧空気発生手段１０２を動作させることにより、吹出ノズル１０４より高圧空気を吹出し、手に付着した水滴を吹き飛ばし、手を乾燥させるものである。
【特許文献１】特開平６−６２９７７号公報（段落番号００３１、図１）
【発明の開示】
【発明が解決しようとする課題】
【０００５】
このような従来の手乾燥装置の方法では、高圧空気により吹き飛ばされた水滴が飛散して衣服や床に付着してしまうという課題があり、水滴の周囲への飛散を抑制するために、手挿入部の構造を手の周りを囲む構造とする必要があり、コストがかかるという課題があった。
【０００６】
本発明は、上記従来の課題を解決するもので、手に付着した水滴を吸引することにより水滴の飛散を抑制し、構造も簡素化することができる手乾燥装置を提供することを目的としている。
【課題を解決するための手段】
【０００７】
本発明の手乾燥装置は、上記目的を達成するために、本体内部に設けた吸引手段と、前記吸引手段に接続した風路と、前記風路に接続した吸引ノズルを有する構成としたものである。
【０００８】
この手段により、吸引手段を動作させ、吸引ノズルより手の表面に付着した水滴を吸引することにより、水滴の飛散を抑制することができる手乾燥装置が得られる。
【０００９】
また、吸引手段を吸引ポンプにて構成したものである。
【００１０】
この手段により、吸引ポンプを動作させ、吸引ノズルより手の表面に付着した水滴を吸引することにより、水滴の飛散を抑制することができる手乾燥装置が得られる。
【００１１】
また、吸引手段を吸引ファンモータにて構成したものである。
【００１２】
この手段により、吸引ファンモータを動作させ、吸引ノズルより手の表面に付着した水滴を吸引することにより、水滴の飛散を抑制することができる手乾燥装置が得られる。
【００１３】
また、吸引ノズルに弾性材料を使用し、手に密着できる構成としたものである。
【００１４】
この手段により、手に密着させることで効率よく水滴を吸引することができる手乾燥装置が得られる。
【００１５】
また、吸引ノズルに近接し、ブラシ部分を設けた構成としたものである。
【００１６】
この手段により、手に付着した水滴をブラシ部分でかき取りながら効率よく吸引することができる手乾装置が得られる。
【００１７】
また、吸引ノズルを洗浄する洗浄装置を設けた構成としたものである。
【００１８】
この手段により、吸引ノズルを清潔に保つことができる手乾燥装置が得られる。
【００１９】
また、本体内部に設けた送風装置及び発熱体からなる温風発生手段と、前記温風発生手段に接続した風路Ａと、前記風路Ａに接続した送出ノズルを有するとともに、本体内部に設けた吸引手段と、前記吸引手段に接続した風路Ｂと、前記風路Ｂに接続した吸引ノズルを有する構成としたものである。
【００２０】
この手段により、前記吸引手段を運転することにより、前記吸引ノズルより手に付着した水滴を吸引するとともに、前記温風発生手段を運転させることにより、前記送出ノズルから送出される温風により手の水分を蒸発させ、手をより速く乾燥することができる手乾燥装置が得られる。
【００２１】
また、本体内部に設けた送風装置及び発熱体からなる温風発生手段と、前記温風発生手段に接続した風路Ａと、前記風路Ａに接続した送出ノズルを有し、前記温風発生手段の吸い込み側に接続した水分離手段と、前記水分離手段に接続した風路Ｂと、前記風路Ｂに接続した吸引ノズルを有する構成としたものである。
【００２２】
この手段により、前記温風発生手段を運転することで、送出ノズルから温風を送出するとともに吸引ノズルより手に付着した水滴を吸引することができる手乾燥装置が得られる。
【００２３】
また、タイマーにより定期的に吸引手段を運転させる構成としたものである。
【００２４】
この手段により、吸引ノズルや風路内の水分や汚れをとることができる手乾燥装置が得られる。
【００２５】
また、水分検知手段により吸引ノズルや風路内の水分を検知し、吸引手段を運転させる構成としたものである。
【００２６】
この手段により、吸引ノズルや風路内を乾燥させることにより清潔に保つことができる手乾燥装置が得られる。
【００２７】
また、吸引ノズルの前後にローラー部分を設けた構成としたものである。
【００２８】
この手段により、手の前後移動を容易にすることができる手乾燥装置が得られる。
【００２９】
また、吸引手段の運転状態を可変とした構成としたものである。
【００３０】
この手段により、手に強弱の吸引を与えることにより手にマッサージ効果がある手乾燥装置が得られる。
【００３１】
また、吸引ノズル部分を振動させる構成としたものである。
【００３２】
この手段により、手に付着した水滴を吸引し易くするとともに、手にマッサージ効果がある手乾燥装置が得られる。
【発明の効果】
【００３３】
本発明によれば、本体内部に設けた吸引手段と、前記吸引手段に接続した風路と、前記風路に接続した吸引ノズルを有し、前記吸引手段を動作させることにより、前記吸引ノズルより手の表面に付着した水滴を吸引することにより、手に付着した水滴が飛散することを抑制でき、手挿入部の構造を簡素化できる手乾燥装置を提供できる。
【００３４】
また、吸引ポンプを吸引手段としたものであり、前記吸引ポンプを動作させることにより、吸引ノズルより手の表面に付着した水滴を吸引することにより、手に付着した水滴が飛散することを抑制でき、手挿入部の構造を簡素化できる手乾燥装置を提供できる。
【００３５】
また、吸引ファンモータを吸引手段としたものであり、前記吸引ファンモータを動作させることにより、吸引ノズルより手の表面に付着した水滴を吸引することにより、手に付着した水滴が飛散することを抑制でき、手挿入部の構造を簡素化できる手乾燥装置を提供できる。
【００３６】
また、吸引ノズルに弾性材料を使用することにより、手に密着させることで効率よく水滴を吸引することができる手乾燥装置を提供できる。
【００３７】
また、吸引ノズルに近接し、ブラシ部分を設け、手に付着した水滴をブラシ部分でかき取りながら効率的に吸引することができる手乾燥装置を提供できる。
【００３８】
また、吸引ノズルを洗浄する洗浄装置を設け、前記吸引ノズルを清潔に保つことができる手乾燥装置を提供できる。
【００３９】
また、本体内部に設けた送風装置及び発熱体からなる温風発生手段と、前記温風発生手段に接続した風路Ａと、前記風路Ａに接続した送出ノズルを有するとともに、本体内部に設けた吸引手段と、前記吸引手段に接続した風路２Ｂ、前記風路Ｂに接続した吸引ノズルを有する構成としたものであり、前記吸引手段を運転することにより、前記吸引ノズルより手に付着した水滴を吸引するとともに、前記温風発生手段を運転させ、前記送出ノズルから送出される温風により手の水分を蒸発させることにより、手をより速く乾燥することができる手乾燥装置を提供できる。
【００４０】
また、本体内部に設けた送風装置及び発熱体からなる温風発生手段と、前記温風発生手段に接続した風路Ａと、前記風路Ａに接続した送出ノズルを有し、前記温風発生手段の吸い込み側に接続した水分離手段と、前記水分離手段に接続した風路Ｂと、前記風路Ｂに接続した吸引ノズルを有する構成としたものであり、前記温風発生手段を運転することで、送出ノズルから温風を送出するとともに、吸引ノズルより手に付着した水滴を吸引することができる手乾燥装置を供給できる。
【００４１】
また、タイマーにより定期的に吸引手段を運転させることにより、吸引ノズルや風路内の水分や汚れを取り、雑菌の繁殖を抑えられる手乾燥装置が提供できる。
【００４２】
また、水分検知手段により吸引ノズルや風路内の水分を検知し、吸引手段を運転させることで前記吸引ノズルや風路内を乾燥させることにより、雑菌の繁殖を抑えられる手乾燥装置が提供できる。
【００４３】
また、吸引ノズルの前後にローラー部分を設け、手の前後移動を容易にできる手乾燥装置を提供できる。
【００４４】
また、吸引手段の運転状態を可変とし、手に強弱の吸引を与えることにより、手にマッサージ効果を与えられる手乾燥装置を提供する。
【００４５】
また、吸引ノズル部分を振動させ、手に付着した水滴を吸引し易くするとともに、手にマッサージ効果がある手乾燥装置を提供する。
【発明を実施するための最良の形態】
【００４６】
本発明の請求項１記載の発明は、本体内部に設けた吸引手段と、前記吸引手段に接続した風路と、前記風路に接続した吸引ノズルを有し、前記吸引手段を動作させ、前記吸引ノズルより手の表面に付着した水滴を吸引することにより、水滴の飛散を抑制することができる作用を有する。
【００４７】
また、吸引手段を吸引ポンプにて構成したものであり、吸引ポンプを動作させ、吸引ノズルより手の表面に付着した水滴を吸引することにより、水滴の飛散を抑制することができる作用を有する。
【００４８】
また、吸引手段を吸引ファンモータにて構成したものであり、吸引ファンモータを動作させ、吸引ノズルより手の表面に付着した水滴を吸引することにより、水滴の飛散を抑制することができる作用を有する。
【００４９】
また、吸引ノズルにゴムなどの弾性材料を使用し、手に密着できる構成としたものであり、手に密着させることで効率よく水滴を吸引することができる作用を有する。
【００５０】
また、吸引ノズルに近接し、ブラシ部分を設けた構成としたものであり、手に付着した水滴をブラシ部分でかき取りながら効率よく吸引することができる作用を有する。
【００５１】
また、吸引ノズルを洗浄する水などによる洗浄装置を設けた構成としたものであり、吸引ノズルを清潔に保つことができる作用を有する。
【００５２】
また、本体内部に設けた送風装置及び発熱体からなる温風発生手段と、前記温風発生手段に接続した風路Ａと、前記風路Ａに接続した送出ノズルを有するとともに、本体内部に設けた吸引手段と、前記吸引手段に接続した風路Ｂと、前記風路Ｂに接続した吸引ノズルを有する構成としたものであり、前記吸引手段を運転することにより、前記吸引ノズルより手に付着した水滴を吸引するとともに、前記温風発生手段を運転させ、前記送出ノズルから送出される温風により、手の水分を蒸発させ、手をより速く乾燥することができる作用を有する。
【００５３】
また、本体内部に設けた送風装置及び発熱体からなる温風発生手段と、前記温風発生手段に接続した風路Ａと、前記風路Ａに接続した送出ノズルを有し、前記温風発生手段の吸い込み側に接続した水分離手段と、前記水分離手段に接続した風路Ｂと、前記風路Ｂに接続した吸引ノズルを有する構成としたものであり、前記温風発生手段を運転することで、送出ノズルから温風を送出するとともに吸引ノズルより手に付着した水滴を吸引することができる作用を有する。
【００５４】
また、タイマーにより定期的に吸引手段を運転させる構成としたものであり、吸引ノズルや風路内の水分や汚れをとることができる作用を有する。
【００５５】
また、結露センサーなどの水分検知手段により吸引ノズルや風路内の水分を検知し、吸引手段を運転させる構成としたものであり、吸引ノズルや風路内を乾燥させることにより清潔に保つことができる作用を有する。
【００５６】
また、吸引ノズルの前後にローラー部分を設けた構成としたものであり、手の前後移動を容易にすることができる作用を有する。
【００５７】
また、引手段の運転状態を可変とした構成としたものであり、手に強弱の吸引を与えることにより、にマッサージ効果を与えることができる作用を有する。
【００５８】
また、吸引ノズル部分を振動させる構成としたものであり、手に付着した水滴を振動で振り落とし、吸引し易くするとともに、手にマッサージ効果を与えることができる作用を有する。
【００５９】
（実施の形態１）
図１に示すように、手乾燥装置１は内部に吸引手段２と、前記吸引手段２に接続した風路３と、前記風路３に接続した吸引ノズル４により構成される。
【００６０】
上記構成において、吸引手段２を動作させ、吸引ノズル４より手の表面に付着した水滴を吸引することにより、手に付着した水滴が衣服や床へ飛散することを抑制できる。
【００６１】
なお、本実施の形態１では、吸引ノズル４が１個の手乾燥装置１としているが、吸引ノズル４を複数設け、手の両面より吸引する手乾燥装置においても同様の作用効果をもたらすことは言うまでもない。吸引手段２としては、吸引できれな良く吸引ポンプなどがある。
【００６２】
（実施の形態２）
次に、本発明の実施の形態２について図面を参照しながら説明する。なお、実施の形態１と同一のものは同一番号を付し、その詳細な説明を省略する。
【００６３】
図２に示すように、吸引ポンプ５を吸引手段とした手乾燥装置１を構成する。
【００６４】
上記構成において、吸引ポンプ５を動作させることにより、吸引ノズル４より手の表面に付着した水滴を吸引することにより、手に付着した水滴が飛散することを抑制できる。
【００６５】
なお、本実施の形態２では、吸引ノズル４が１個の手乾燥装置１としているが、吸引ノズル４を複数設け、手の両面より吸引する手乾燥装置においても同様の作用効果をもたらすことは言うまでもない。
【００６６】
（実施の形態３）
次に、本発明の実施の形態３について図面を参照しながら説明する。なお、実施の形態１、２と同一のものは同一番号を付し、その詳細な説明を省略する。
【００６７】
図３に示すように、吸引ファンモータ６を吸引手段とした手乾燥装置１を構成する。
【００６８】
上記構成において、吸引ファンモータ６を動作させることにより、吸引ノズル４より手の表面に付着した水滴を吸引することにより、手に付着した水滴が飛散することを抑制できる。
【００６９】
なお、本実施の形態３では、吸引ノズル４が１個の手乾燥装置１としているが、吸引ノズル４を複数設け、手の両面より吸引する手乾燥装置においても同様の作用効果をもたらすことは言うまでもない。
【００７０】
（実施の形態４）
次に、本発明の実施の形態４について図面を参照しながら説明する。なお、実施の形態１、２、３と同一のものは同一番号を付し、その詳細な説明を省略する。
【００７１】
図４に示すように、吸引ノズル４にたとえばゴムなどの弾性材料を使用し、手に密着できる手乾燥装置１を構成する。
【００７２】
上記構成において、手に密着させることで効率よく水滴を吸引することができる。
【００７３】
なお、本実施の形態４では、吸引ノズル４が１個の手乾燥装置１としているが、吸引ノズル４を複数設け、手の両面より吸引する手乾燥装置においても同様の作用効果をもたらすことは言うまでもない。
【００７４】
（実施の形態５）
次に、本発明の実施の形態５について図面を参照しながら説明する。なお、実施の形態１、２、３、４と同一のものは同一番号を付し、その詳細な説明を省略する。
【００７５】
図５に示すように、吸引ノズル４に近接し、ブラシ部分７を設けた手乾燥装置１を構成する。
【００７６】
上記構成において、手に付着した水滴をブラシ部分７でかき取りながら、効率よく吸引ノズル４にて吸引することができる。
【００７７】
なお、本実施の形態５では、吸引ノズル４が１個の手乾燥装置１としているが、吸引ノズル４を複数設け、手の両面より吸引する手乾燥装置においても同様の作用効果をもたらすことは言うまでもない。
【００７８】
（実施の形態６）
次に、本発明の実施の形態６について図面を参照しながら説明する。なお、実施の形態１、２、３、４、５と同一のものは同一番号を付し、その詳細な説明を省略する。
【００７９】
図６に示すように、吸引ノズル４を洗浄するたとえば水などによる洗浄装置８を設けた手乾燥装置１を構成する。
【００８０】
上記構成において、手乾燥装置１の使用前後に、吸引ノズル４を洗浄装置８で洗浄することにより、清潔に保つことができる。
【００８１】
なお、本実施の形態６では、吸引ノズル４が１個の手乾燥装置１としているが、吸引ノズル４を複数設け、手の両面より吸引する手乾燥装置においても同様の作用効果をもたらすことは言うまでもない。
【００８２】
（実施の形態７）
次に、本発明の実施の形態７について図面を参照しながら説明する。なお、実施の形態１、２、３、４、５、６と同一のものは同一番号を付し、その詳細な説明を省略する。
【００８３】
図７に示すように、送風装置９及び、たとえばヒータなどの発熱体１０からなる温風発生手段１１と、前記温風発生手段１１に接続した風路Ａ３ａと、前記風路Ａ３ａに接続した送出ノズル１２を有するとともに、本体内部に設けた吸引手段２と、前記吸引手段２に接続した風路Ｂ３ｂ、前記風路Ｂ３ｂに接続した吸引ノズル４を有する手乾燥装置１を構成する。
【００８４】
上記構成において、吸引手段２を運転することにより、吸引ノズル４より手に付着した水滴を吸引するとともに、温風発生手段１１を運転させ、送出ノズル１２から送出される温風により手の水分を蒸発させることにより、手をより速く乾燥することができる。
【００８５】
（実施の形態８）
次に、本発明の実施の形態８について図面を参照しながら説明する。なお、実施の形態１、２、３、４、５、６、７と同一のものは同一番号を付し、その詳細な説明を省略する。
【００８６】
図８に示すように、送風装置９及び、たとえばヒータなどの発熱体１０からなる温風発生手段１１と、温風発生手段１１に接続した風路Ａ３ａと、風路Ａ３ａに接続した送出ノズル１２を有し、温風発生手段１１の吸い込み側に接続した、たとえば隔壁などの衝突分離などの水分離手段１３と、水分離手段１３に接続した風路Ｂ３ｂと、風路Ｂ３ｂに接続した吸引ノズル４を有する手乾燥装置１を構成する。
【００８７】
上記構成において、温風発生手段１１を運転することで、送出ノズル１２から温風を送出するとともに吸引ノズル４より手に付着した水滴を吸引することができる。
【００８８】
（実施の形態９）
次に、発明の実施の形態９について図面を参照しながら説明する。なお、施の形態１、２、３、４、５、６、７、８と同一のものは同一番号を付し、その詳細な説明を省略する。
【００８９】
図９に示すように、タイマー部１４を有する手乾燥装置１を構成する。
【００９０】
上記構成において、タイマー部１４により、定期的に吸引手段２を運転させることにより、吸引ノズル４と風路３の水分や汚れをとることができる。
【００９１】
（実施の形態１０）
次に、本発明の実施の形態１０について図面を参照しながら説明する。なお、実施の形態１、２、３、４、５、６、７、８、９と同一のものは同一番号を付し、その詳細な説明を省略する。
【００９２】
図１０に示すように、たとえば結露センサーなどの水分検知手段１５により吸引ノズル４と風路３の水分を検知し、吸引手段２を運転させる手乾燥装置１を構成する。
【００９３】
上記構成において、吸引ノズル４と風路３を乾燥させることにより清潔に保つことができる。
【００９４】
（実施の形態１１）
次に、本発明の実施の形態１１について図面を参照しながら説明する。なお、実施の形態１、２、３、４、５、６、７、８、９、１０と同一のものは同一番号を付し、その詳細な説明を省略する。
【００９５】
図１１に示すように、吸引ノズル４の前後にローラー部分１６を設けた手乾燥装置１を構成する。
【００９６】
上記構成において、手の前後移動を容易にすることができる。
【００９７】
（実施の形態１２）
次に、本発明の実施の形態１２について図面を参照しながら説明する。なお、実施の形態１、２、３、４、５、６、７、８、９、１０、１１と同一のものは同一番号を付し、その詳細な説明を省略する。
【００９８】
図１２に示すように、吸引手段２に強弱切替部１７を有した手乾燥装置１を構成する。
【００９９】
上記構成において、強弱切替部１７を動作させ、手に強弱の吸引を与えることにより、手にマッサージ効果を与えることができる。強弱切替部１７としては、強弱などの切替ができれば良く、強弱切替ノッチなどがある。
【０１００】
（実施の形態１３）
次に、本発明の実施の形態１３について図面を参照しながら説明する。なお、実施の形態１、２、３、４、５、６、７、８、９、１０、１１、１２、１３と同一のものは同一番号を付し、その詳細な説明を省略する。
【０１０１】
図１３に示すように、吸引ノズル４を振動させるたとえば振動モータなどの振動装置部１８を有した手乾燥装置１を構成する。
【０１０２】
上記構成において、振動装置部１８を動作させ、吸引ノズル４を振動させることにより、手に付着した水滴を振動で振り落とし、吸引し易くするとともに、手にマッサージ効果を与えることができる。
【産業上の利用可能性】
【０１０３】
水滴の飛散を防止した乾燥ができることにより、水洗いした後の乾燥手法において、水滴の飛散を防止した乾燥を行うことができる。
【図面の簡単な説明】
【０１０４】
【図１】本発明の実施の形態１の手乾燥装置の構成を示す概略図
【図２】本発明の実施の形態２の手乾燥装置の構成を示す概略図
【図３】本発明の実施の形態３の手乾燥装置の構成を示す概略図
【図４】本発明の実施の形態４の手乾燥装置の構成を示す概略図
【図５】本発明の実施の形態５の手乾燥装置の構成を示す概略図
【図６】本発明の実施の形態６の手乾燥装置の構成を示す概略図
【図７】本発明の実施の形態７の手乾燥装置の構成を示す概略図
【図８】本発明の実施の形態８の手乾燥装置の構成を示す概略図
【図９】本発明の実施の形態９の手乾燥装置の構成を示す概略図
【図１０】本発明の実施の形態１０の手乾燥装置の構成を示す概略図
【図１１】本発明の実施の形態１１の手乾燥装置の構成を示す概略図
【図１２】本発明の実施の形態１２の手乾燥装置の構成を示す概略図
【図１３】本発明の実施の形態１３の手乾燥装置の構成を示す概略図
【図１４】従来の手乾燥装置の構成を示す概略図
【符号の説明】
【０１０５】
１    手乾燥装置
２    吸引手段
３    風路
３ａ  風路Ａ
３ｂ  風路Ｂ
４    吸引ノズル
５    吸引ポンプ
６    吸引ファンモータ
７    ブラシ部分
８    洗浄装置
９    送風装置
１０  発熱体
１１  温風発生手段
１２  送出ノズル
１３  水分離手段
１４  タイマー部
１５  水分検知手段
１６  ローラー部分
１７  強弱切替部
１８  振動装置部
【図１】
2007105155.tif 000003
【図２】
2007105155.tif 000004
【図３】
2007105155.tif 000005
【図４】
2007105155.tif 000006
【図５】
2007105155.tif 000007
【図６】
2007105155.tif 000008
【図７】
2007105155.tif 000009
【図８】
2007105155.tif 000010
【図９】
2007105155.tif 000011
【図１０】
2007105155.tif 000012
【図１１】
2007105155.tif 000013
【図１２】
2007105155.tif 000014
【図１３】
2007105155.tif 000015
【図１４】
2007105155.tif 000016